(57)【要約】【課題】電波方式で通信を行うリモートコントローラおよび電子機器の待機時の消費電力を抑えることが可能な電子機器、リモートコントローラおよび遠隔操作システムを提供する。【解決手段】電子機器本体が待機状態に移行すると、通信モジュールＣＰＵが間欠動作モードに移行する（Ｓ１０，２０）。リモートコントローラ１０は、通信モジュールＣＰＵを間欠動作モードから通常動作モードに移行させるパワーオン用リモートコントローラ信号を電子機器に送信する（Ｓ４０）。電子機器４０は、パワーオン用リモートコントローラ信号を受信すると、ＡＣＫコードをリモートコントローラに送信する（Ｓ６０）。リモートコントローラ１０は、ＡＣＫコードを受信すると、パワーオン用リモートコントローラ信号の送信時間内であっても、パワーオン用リモートコントローラ信号の送信を停止する（Ｓ８０）。【選択図】図４
2008263309.tif 000002
【特許請求の範囲】
【請求項１】
リモートコントローラから電波方式で送信されるリモートコントローラ信号に基づいて遠隔操作される電子機器であって、
前記リモートコントローラから送信される前記リモートコントローラ信号を受信する通信モジュール部と、
前記通信モジュール部により受信された前記リモートコントローラ信号に基づく所定の処理を実行する電子機器本体とを備え、
前記通信モジュール部は、
前記電子機器本体が待機状態に移行したときに間欠的に動作する間欠動作モードを有し、
前記間欠動作モードにおける前記通信モジュール部のオフ時間は、前記電子機器本体を前記待機状態から通常状態に移行させるためのパワーオン用リモートコントローラ信号の送信時間よりも短く設定される
ことを特徴とする電子機器。
【請求項２】
前記通信モジュール部は、
前記リモートコントローラから送信される前記パワーオン用リモートコントローラ信号を受信したとき、応答信号を前記リモートコントローラに送信する
ことを特徴とする請求項１に記載の電子機器。
【請求項３】
前記通信モジュール部は、
前記電子機器本体から供給される前記電子機器本体の電源情報に基づいて、前記電子機器の電源状態の監視を行い、
前記電子機器本体が前記待機状態から通常状態に移行したとき、前記間欠動作モードから通常動作モードに移行する
ことを特徴とする請求項１に記載の電子機器。
【請求項４】
前記通信モジュール部は、
前記リモートコントローラ信号を受信すると共に前記応答信号を送信する送受信部と、
前記送受信部の制御を行う制御部とを備え、
前記制御部は、前記間欠動作モードに移行したとき、これに伴って前記送受信部を間欠的に動作させる
ことを特徴とする請求項１に記載の電子機器。
【請求項５】
電子機器本体と該電子機器本体の待機状態への移行により間欠的に動作する通信モジュール部とを有する電子機器を電波方式で遠隔操作するリモートコントローラであって、
前記電子機器本体を前記待機状態から通常状態に移行させるための切り替えキーを有する操作部と、
前記切り替えキーの操作に基づいて、前記電子機器本体を前記通常状態に移行させるパワーオン用リモートコントローラ信号を前記電子機器に送信する通信モジュール部とを備え、
前記パワーオン用リモートコントローラ信号の送信時間は、前記電子機器の前記通信モジュール部の間欠動作時におけるオフ時間よりも長く設定され、
前記通信モジュール部は、
前記電子機器に送信した前記パワーオン用リモートコントローラ信号に対して前記電子機器から応答信号を受信したとき、前記パワーオン用リモートコントローラ信号の送信を前記送信時間内であっても停止する
ことを特徴とするリモートコントローラ。
【請求項６】
前記操作部は、前記電子機器を遠隔操作するための複数の操作キーを有し、
前記切り替えキーの機能は、前記複数の操作キーの少なくとも一つ以上のキーに割り当てられた
ことを特徴とする請求項５に記載のリモートコントローラ。
【請求項７】
リモートコントローラから電波方式で送信されるリモートコントローラ信号に基づいて電子機器が遠隔操作される遠隔操作システムであって、
前記電子機器は、
前記リモートコントローラから送信される前記リモートコントローラ信号を受信する通信モジュール部と、
前記通信モジュール部により受信された前記リモートコントローラ信号に基づく所定の処理を実行する電子機器本体とを備え、
前記リモートコントローラは、
前記電子機器本体を前記待機状態から通常状態に移行させるための切り替えキーを有する操作部と、
前記切り替えキーの操作に基づいて、前記電子機器本体を前記通常状態に移行させるパワーオン用リモートコントローラ信号を前記電子機器に送信する通信モジュール部とを備え、
前記電子機器の前記制御部の前記間欠動作モードにおけるオフ時間は、前記リモートコントローラから送信されるパワーオン用リモートコントローラ信号の送信時間よりも短く設定され、
前記電子機器の前記通信モジュール部は、
前記リモートコントローラから送信されるパワーオン用リモートコントローラ信号に基づいて、前記間欠動作モードから通常動作モードに移行する
ことを特徴とする遠隔操作システム。
【請求項８】
前記電子機器の前記通信モジュール部は、
前記リモートコントローラから送信される前記パワーオン用リモートコントローラ信号を受信したとき、応答信号を前記リモートコントローラに送信し、
前記リモートコントローラの前記通信モジュール部は、
前記電子機器に送信した前記パワーオン用リモートコントローラ信号に対して、前記電子機器から前記応答信号を受信したとき、前記パワーオン用リモートコントローラ信号の送信を前記送信時間内であっても停止する
ことを特徴とする請求項７に記載の遠隔操作システム。
【発明の詳細な説明】
【技術分野】
【０００１】
本発明は、電子機器、リモートコントローラおよび遠隔操作システムに関する。詳細には、電子機器の制御部を間欠的に駆動し、この間欠駆動時にリモートコントローラ信号を確実に受信可能とするため、リモートコントローラ信号の送信時間を制御部のオフ時間よりも長く設定すると共に、応答信号を受信したときには設定した送信時間内であってもリモートコントローラ信号の送信を停止することが可能な電子機器、リモートコントローラおよび遠隔操作システムに関する。
【背景技術】
【０００２】
近年、リモートコントローラでは、指向性が弱く障害物の影響を受けにくい電波を利用したものが広く提案、利用されている。しかし、電波方式の場合には、遠隔操作する受信機器（電子機器）側の送受信モジュール部を高周波で常時動作させておく必要があるため、赤外線方式のリモートコントローラを用いる場合と比較して待機時の電子機器の消費電力が大きいという問題がある。
【０００３】
そのため、受信側の電子機器の待機電力を抑える方法として、例えば、赤外線方式のリモートコントローラによって遠隔操作する電子機器の受光素子を間欠的に駆動させる方法が提案されている（特許文献１参照）。また、受光素子の間欠動作時に、この受光素子がリモートコントローラから送信されるリモートコントローラ信号を確実に受信できるように、リモートコントローラ信号の送信時間を受光素子の間欠動作の休止（オフ）時の時間よりも長くするように設定している。
【０００４】
【特許文献１】特許第３３９２７５１号公報
【発明の開示】
【発明が解決しようとする課題】
【０００５】
しかしながら、特許文献１に開示される発明では、電子機器の運転状態が通常動作か待機動作かによって受光素子の間欠動作を制御していないため、電子機器の通常動作時にも受光素子を間欠的に動作させてしまうおそれもあり、リモートコントローラ信号を迅速かつ効率的に受信できないという問題がある。
【０００６】
また、リモートコントローラ信号の送信時間は、少なくとも受光素子の休止時間よりも長くなるように設定されているが、電子機器側の受光素子が通常動作を開始した後も、残りの送信時間はリモートコントローラ信号を継続して送信している。そのため、余計なリモートコントローラ信号を送信することになり、リモートコントローラ側の電力を無駄に消費してしまうという問題がある。
【０００７】
そこで、本願発明は、上記課題に鑑みてなされたものであり、その目的は、電波方式で通信を行うリモートコントローラおよび電子機器を待機時に正確に動作させると共に、リモートコントローラおよび電子機器の待機時の消費電力を抑えことが可能な電子機器、リモートコントローラおよび遠隔操作システムを提供することにある。
【課題を解決するための手段】
【０００８】
本願発明の電子機器は、リモートコントローラから電波方式で送信されるリモートコントローラ信号に基づいて遠隔操作される電子機器であって、前記リモートコントローラから送信される前記リモートコントローラ信号を受信する通信モジュール部と、前記通信モジュール部により受信された前記リモートコントローラ信号に基づく所定の処理を実行する電子機器本体とを備え、前記通信モジュール部は、前記電子機器本体が待機状態に移行したときに間欠的に動作する間欠動作モードを有し、前記間欠動作モードにおける前記通信モジュール部のオフ時間は、前記電子機器本体を前記待機状態から通常状態に移行させるためのパワーオン用リモートコントローラ信号の送信時間よりも短く設定されることを特徴とするものである。
【０００９】
また、電子機器の通信モジュール部は、前記リモートコントローラから送信される前記パワーオン用リモートコントローラ信号を受信したとき、応答信号を前記リモートコントローラに送信する。
【００１０】
また本願発明のリモートコントローラは、電子機器本体と該電子機器本体の待機状態への移行により間欠的に動作する通信モジュール部とを有する電子機器を電波方式で遠隔操作するリモートコントローラであって、前記電子機器本体を前記待機状態から通常状態に移行させるための切り替えキーを有する操作部と、前記切り替えキーの操作に基づいて、前記電子機器本体を前記通常状態に移行させるパワーオン用リモートコントローラ信号を前記電子機器に送信する通信モジュール部とを備え、前記パワーオン用リモートコントローラ信号の送信時間は、前記電子機器の前記通信モジュール部の間欠動作時におけるオフ時間よりも長く設定され、前記通信モジュール部は、前記電子機器に送信した前記パワーオン用リモートコントローラ信号に対して前記電子機器から応答信号を受信したとき、前記パワーオン用リモートコントローラ信号の送信を前記送信時間内であっても停止することを特徴とするものである。
【００１１】
また本願発明の遠隔操作システムは、リモートコントローラから電波方式で送信されるリモートコントローラ信号に基づいて電子機器が遠隔操作される遠隔操作システムであって、前記電子機器は、前記リモートコントローラから送信される前記リモートコントローラ信号を受信する通信モジュール部と、前記通信モジュール部により受信された前記リモートコントローラ信号に基づく所定の処理を実行する電子機器本体とを備え、前記リモートコントローラは、前記電子機器本体を前記待機状態から通常状態に移行させるための切り替えキーを有する操作部と、前記切り替えキーの操作に基づいて、前記電子機器本体を前記通常状態に移行させるパワーオン用リモートコントローラ信号を前記電子機器に送信する通信モジュール部とを備え、前記電子機器の前記制御部の前記間欠動作モードにおけるオフ時間は、前記リモートコントローラから送信されるパワーオン用リモートコントローラ信号の送信時間よりも短く設定され、前記電子機器の前記通信モジュール部は、前記リモートコントローラから送信されるパワーオン用リモートコントローラ信号に基づいて、前記間欠動作モードから通常動作モードに移行することを特徴とするものである。
【００１２】
本発明では、電子機器の電子機器本体が待機状態に移行したときに、通信モジュール部が電子機器本体の電源情報を検出して間欠動作モードに移行する。電子機器本体を待機状態から通常状態に移行させる場合には、リモートコントローラによってパワーオン用リモートコントローラ信号を電子機器に送信する。リモートコントローラ信号は、例えばリモートコントローラに設けられた電源キーが押下されることにより送信される。また、パワーオン用リモートコントローラ信号の送信時間は、電子機器側の通信モジュール部の間欠動作モードにおけるオフ時間よりも長くなるように設定される。これにより、リモートコントローラから送信されるパワーオン用リモートコントローラ信号は、電子機器側の通信モジュール部のオン時間内において確実に受信される。電子機器は、パワーオン用リモートコントローラ信号を受信すると、応答信号（ＡＣＫ）をリモートコントローラに送信する。リモートコントローラでは、この応答信号を受信すると、パワーオン用リモートコントローラ信号の送信時間内であっても、パワーオン用リモートコントローラ信号の送信（生成）を停止する。
【００１３】
本発明において電子機器の通常状態とは、電子機器内の構成要素の全てに通電され、それらの構成要素が通常動作を行い得る状態を意味している。  
また、電子機器の待機状態とは、ＤＶＤ／ビデオ再生レコーダーなどの再生記録装置の場合には、電子機器に設けられた電源キーまたはリモートコントローラの電源キーが押下されて電子機器の電源がオフにされた状態を意味している。また、テレビジョンなどの表示装置の場合には、主電源がオン状態であり、リモートコントローラ側の電源キーがオフにされた状態を意味している。  
また、本発明で電波とは、超長波からミリ波までの電磁波、サブミリ波および遠赤外線の電磁波を含むものである。
【発明の効果】
【００１４】
本願発明によれば、電子機器本体の待機状態時に通信モジュール部を間欠駆動するため、電子機器の平均消費電力を小さくすることができる。
【００１５】
さらに、リモートコントローラでは、電子機器からの応答信号を受信したときにパワーオン用リモートコントローラ信号の送信（生成）を停止するため、リモートコントローラの消費電力の無駄を抑えることができる。
【発明を実施するための最良の形態】
【００１６】
［第１の実施の形態］
以下、本発明の実施の形態について図面を参照して説明する。  
【００１７】
（遠隔操作システム）
図１は、本発明の一実施形態に係る遠隔操作システム１００の構成を示す図である。
遠隔操作システム１００は、テレビジョンやＤＶＤ(Digital Versatile Disc)／ビデオレコーダーなどの電子機器４０と、電子機器４０を遠隔操作するリモートコントローラ１０とで構成される。リモートコントローラ１０は、リモートコントローラ信号を電波により電子機器４０に送信する。電子機器４０では、リモートコントローラ１０から送信されるリモートコントローラ信号に基づく所定の処理を実行する。電波は、例えば９００ＭＨｚ帯、２．４ＧＨｚ帯などの周波数が用いられる。
【００１８】
（リモートコントローラの構成）  
次に、リモートコントローラ１０の構成を説明する。図２は、リモートコントローラ１０のブロック構成を示す図である。リモートコントローラ１０は、通信モジュール部３０と操作部２０とを有する。通信モジュール部３０は、リモコンＣＰＵ（Central Processing Unit）１４、ＲＯＭ(Read Only Memory)１６、ＲＡＭ(Random Access Memory)１８、送受信部２８およびＲＦアンテナ２６とで構成される。
【００１９】
リモートコントローラ１０は、リモコンＣＰＵ１４によって全体を制御するようになされており、ＲＯＭ１６から基本プログラムや各種アプリケーションプログラムを読み出し、ＲＡＭ１８に展開して各種処理を実行するようになされている。また、ＲＯＭ１６には、各メーカー毎に割り当てられたフォーマット情報、各カテゴリー（電子機器４０）毎に割り当てられた機種情報、各制御機能（操作内容）毎に割り当てられた機能情報（コード信号）等が記憶されている。
【００２０】
操作部２０は、電子機器４０の電源の入／切を行う電源キー２０ａ、およびチャンネルの選局を行うチャンネルキーや音量の調整を行う音量キーなどの複数の操作キー２０ｂで構成される。本例において電源キー２０ａは、通信モジュールＣＰＵ８０（図３参照）を間欠動作モードから通常動作モード（電子機器本体８２（図３参照）を待機状態から通常状態）に移行させる切り替え（関連）キーとして使用される。切り替えキーとしての電源キー２０ａは、後述するように、通常の短い押下時間でも一定の時間連続してリモートコントローラ信号が送信されるように制御される。電源キー２０ａがユーザによって押下されると、リモコンＣＰＵ１４では、電源キー２０ａに応じた出力信号を検出してＲＯＭ１６からパワーオン用リモートコントローラ信号を読み出し送受信部２８に供給する。電源キー２０ａ以外の他の操作キー２０ｂについては、通常通り、押下によって一定時間だけリモートコントローラ信号を送信するように制御しても良いし、電子機器本体８２が待機状態中のときには押下による操作を無効としてリモートコントローラ信号を送信しないように制御しても良い。また、切り替えキーの機能は、電源キー２０ａ以外の操作キー２０ｂに割り当てても良いし、複数の操作キー２０ｂのそれぞれに割り当てても良い。例えば、操作キー２０ｂのチャンネルキーに切り替えキーの機能を割り当てることもできる。この場合、チャンネルキーの押下により、電子機器本体８２が通常状態に復帰した後、押下されたチャンネルの番組を表示するように制御される。
【００２１】
送受信部２８はリモコンＣＰＵ１４から供給された所定のリモコンコードを増幅、変調処理してＲＦアンテナ２６に供給し、ＲＦアンテナ２６では供給されたリモコンコードに基づくリモートコントローラ信号を電波方式で電子機器４０に送信する。
【００２２】
（電子機器の構成）  
次に、電子機器４０のブロック構成について説明する。図３は、電子機器４０の構成を示すブロック図である。
【００２３】
図３に示すように、電子機器４０は例えばテレビジョンなどの表示装置として機能する電子機器本体８２を有する。電子機器本体８２は、本体ＣＰＵ４２、ＲＯＭ４４、ＲＡＭ４６、ＥＥＰＲＯＭ(Electrically Erasable Programmable Read Only Memory)７６、放送信号受信アンテナ５６、チューナ５８、復調部６０、デコード部６２、映像信号処理部６４、表示部６６、音声信号処理部６８およびスピーカ７０を有する。
電子機器本体８２は、本体ＣＰＵ４２によって全体を制御するようになされており、バス７４を介してＲＯＭ４４から基本プログラムや各種アプリケーションプログラムを読み出し、ＲＡＭ４６やＥＥＰＲＯＭ７６に展開して各種処理を実行するようになされている。
【００２４】
放送信号受信アンテナ５６では放送信号を受信し、受信した放送信号をチューナ５８に供給する。チューナ５８は本体ＣＰＵ４２からの指示に基づいて放送信号の選局を行い、選局した放送信号を復調部６０に供給する。
【００２５】
復調部６０は、選局した放送信号を復調してトランスポートストリームを得る。そして、トランスポートストリームに含まれる圧縮ビデオデータと圧縮オーディオデータを分離して、それぞれのデータをデコード部６２に供給する。デジタル放送によるトランスポートストリームは、例えばＭＰＥＧ２(Moving Picture Experts Group Layer2)方式によって、複数のプログラム（番組）のビデオ信号およびオーディオ信号を圧縮した圧縮データと、各種の付加情報が多重化されて構成される。
【００２６】
デコード部６２は、復調部６０から供給された圧縮ビデオデータと圧縮オーディオデータのそれぞれをデコードし、ビデオデータを映像信号処理部６４に供給すると共にオーディオデータを音声信号処理部６８に供給する。
【００２７】
映像信号処理部６４は、デコード部６２から供給されたビデオデータを垂直・水平同期信号検出や各種映像信号処理し、表示部６６に出力する。表示部６６は、例えばＣＲＴ（Cathode Ray Tube）やＬＣＤ（Liquid Crystal Display）、ＰＤＰ（Plasma Display Panel）等のディスプレイで構成され、映像信号処理部６４からの出力信号に基づく画像表示を行う。
【００２８】
音声信号処理部６８は、デコード部６２から供給されたデジタルオーディオデータに所望の音声信号処理を行い、アナログオーディオ信号に変換してスピーカ７０から音声出力する。
【００２９】
また電子機器４０は、図３に示すように、通信モジュール部９０を有する。通信モジュール部９０は、制御部の一例である通信モジュールＣＰＵ８０と送受信部５４とＲＦアンテナ５２とで構成される。通信モジュールＣＰＵ８０はバス７４に接続されている。
【００３０】
ＲＦアンテナ５２はリモートコントローラ１０から電波方式で送信されるリモートコントローラ信号を受信し、送受信部５４ではＲＦアンテナ５２から供給されたリモートコントローラ信号を増幅、復調処理して通信モジュールＣＰＵ８０に供給する。また、送受信部５４は、通信モジュールＣＰＵ８０から供給されたＡＣＫコード（応答信号）を変調処理してＲＦアンテナ５２に供給し、ＲＦアンテナ５２ではＡＣＫコードに基づくリモートコントローラ信号を電波方式でリモートコントローラ１０に送信する。
【００３１】
通信モジュールＣＰＵ８０は、送受信部５４で復調等の処理が施されたリモートコントローラ信号を所定のリモコンコードに変換して本体ＣＰＵ４２に供給する。また、通信モジュールＣＰＵ８０は、電子機器本体８２から供給される電源情報に基づいて、通常動作モードから間欠動作モードまたは間欠動作モードから通常動作モードに移行する。間欠動作モードでは、通信モジュールＣＰＵ８０内部に設けられたタイマが通信モジュールＣＰＵ８０内部の制御部や演算部を間欠的に動作させる。タイマは、例えば予め間欠動作モードに設定されたカウンタ値を有しており、カウンタ値が設定した値になったときにパルス信号を立ち上げる。通信モジュールＣＰＵ８０内部の制御部や演算部ではこのパルス信号をトリガーとしてオン／オフ動作を繰り返して行う。また、通信モジュールＣＰＵ８０は、送受信部５４の制御を行い、通信モジュールＣＰＵ８０がオンのときには送受信部５４を動作させ、通信モジュールＣＰＵ８０がオフのときには送受信部５４の動作を停止させる。このように、通信モジュールＣＰＵ８０の間欠動作モードの移行と共に送受信部５４も間欠的に動作させる。
【００３２】
また、電子機器本体８２の本体ＣＰＵ４２は、通信モジュールＣＰＵ８０から供給されたリモコンコードに基づく所定の処理を実行すると共に、電子機器本体８２の運転状態（通常状態または待機状態）を電源情報として通信モジュールＣＰＵ８０に供給する。
【００３３】
（遠隔操作システムの動作）
次に、電波方式のリモートコントローラ１０によって電子機器４０を遠隔操作する際のリモートコントローラ１０および電子機器４０の動作について図２〜図５を参照して説明する。
【００３４】
図４は、電波方式のリモートコントローラ１０によって電子機器４０を遠隔操作する際の動作を示すフローチャートである。図５は、リモートコントローラ１０から送信されるパワーオン用リモートコントローラ信号と電子機器４０の間欠動作モードとの関係を示すタイミングチャートである。
【００３５】
まず、図４に示すように、ステップＳ１０で電子機器４０の通信モジュールＣＰＵ８０は、電子機器本体８２が通常状態から待機状態に移行したか否かを判断する。例えば、電子機器本体８２に設けられた電源ボタンがオフにされて待機状態に移行したとき、またはリモートコントローラ１０の電源キー２０ａが押下されて電子機器本体８２の電源がオフにされて待機状態に移行したとき、電子機器本体８２から通信モジュールＣＰＵ８０に電源情報として供給される電源信号（電圧）がＨレベルからＬレベルに変化する（図５Ｅ）。通信モジュールＣＰＵ８０では、この電源信号の変化を検出することで、電子機器本体８２が通常動作モードから待機動作モードに移行したと判断できる。電子機器本体８２が待機動作モードに移行したときにはステップＳ２０に進む。
【００３６】
ステップＳ２０で電子機器４０の通信モジュールＣＰＵ８０は、検出した電源信号に基づいて通常動作モードから間欠動作モードに移行する。間欠動作モードにおいて通信モジュールＣＰＵ８０は、ｔ１時間の間オン状態になり、ｔ２時間の間オフ状態となるように、その内部に設けられたタイマ等によって間欠的かつ周期的に駆動される（図５Ｄ）。ｔ１時間は例えば１０ｍｓｅｃであり、ｔ２時間は例えば９０ｍｓｅｃである。通信モジュールＣＰＵ８０の間欠動作に同期して送受信部５４も同様のタイミングでオン／オフ動作を間欠的に繰り返す。
【００３７】
ステップＳ３０でリモートコントローラ１０は、電子機器４０の通信モジュールＣＰＵ８０を間欠動作モードから通常動作モードに移行させるための電源キー２０ａが押下されたか否かを判断する。電源キー２０ａが押下されたと判断したときにはステップＳ４０に進み（図５Ａ）、電源キー２０ａが押下されていないと判断したときにはステップＳ３０で待機状態となる。
【００３８】
ステップＳ４０でリモートコントローラ１０は、電源キー２０ａが押下されると、パワーオン用リモートコントローラ信号を電子機器４０に送信する。パワーオン用リモートコントローラ信号はｔ３時間の間、連続的に送信される。リモートコントローラ信号が送信されるｔ３時間は、通信モジュールＣＰＵ８０のオフｔ２時間よりも長くなるように設定される。また、リモートコントローラ信号は複数のフレームで構成されており、本例では３４個のフレームが等間隔で送信されるように構成される。なお、電源キー２０ａ以外の通常の操作キー２０ｂが押下されたときには、例えばｔ４時間の間で３個のフレームが連続的に送信される（図５Ｂ）。このように、切り替えキーとして機能する電源キー２０ａとその他の操作キー２０ｂとは、押下される時間が同じであっても、送信時間および送信されるフレーム数が異なっている（図５Ｂ，図５Ｃ）。
【００３９】
ステップＳ５０で電子機器４０の通信モジュールＣＰＵ８０は、パワーオン用リモートコントローラ信号を受信したか否かを判断する。パワーオン用リモートコントローラ信号は、通信モジュールＣＰＵ８０がオフ（ｔ２時間）のときには送受信部５４も動作していないため受信されない（図５Ｃ，図５Ｄ）。一方、通信モジュールＣＰＵ８０がオンのとき（ｔ１時間）には送受信部５４は動作しているため受信される（図５Ｃ，図５Ｄ）。パワーオン用リモートコントローラ信号を受信したときにはステップＳ６０に進み、受信しないときにはステップＳ５０で待機状態となる。
【００４０】
ステップＳ６０で電子機器４０の通信モジュールＣＰＵ８０は、受信したパワーオン用リモートコントローラ信号に基づいて、ＡＣＫコードを送受信部５４に供給する。送受信部５４では、ＡＣＫコードを変調処理してＲＦアンテナ５２からリモートコントローラ１０に送信する。
【００４１】
ステップＳ７０でリモートコントローラ１０は、ＡＣＫコードを受信したか否かを判断する。ＡＣＫコードを受信したときにはステップＳ８０に進み、ＡＣＫコードを受信しないときにはステップＳ７５に進む。
【００４２】
ステップＳ７５でリモートコントローラ１０は、パワーオン用リモートコントローラ信号の送信時間であるｔ３時間が経過したか否かを判断する（図５Ｃ）。ｔ３時間が経過したときにはステップＳ８０に進み、ｔ３時間が経過していないときにはステップＳ４０に戻る。
【００４３】
ステップＳ８０でリモートコントローラ１０は、ＡＣＫコードを受信すると、パワーオン用リモートコントローラ信号の送信時間がｔ３時間以内であっても、パワーオン用リモートコントローラ信号の送信を停止する（図５Ｃ破線）。また、リモートコントローラ１０は、ＡＣＫコードを受信していない場合であっても、ｔ３時間が経過したときにはパワーオン用リモートコントローラ信号の送信を停止する。
【００４４】
一方、ステップＳ９０で電子機器４０の通信モジュールＣＰＵ８０は、受信したパワーオン用リモートコントローラ信号（ステップＳ５０）から電子機器本体８２の電源を待機状態から通常状態に移行させるリモコンコードを取得する。電子機器本体８２は通信モジュールＣＰＵ８０から供給されたリモコンコードに基づいて待機状態から通常状態に移行（復帰）する。
【００４５】
ステップＳ１００で電子機器４０の通信モジュールＣＰＵ８０は、電子機器本体８２の通常状態への移行に伴う、電子機器本体８２から供給される電源情報を検出して、自身を間欠動作モードから通常動作モードに移行させる。例えば、電子機器本体８２から電源情報として供給される電源信号（電圧）がＬレベルからＨレベルに変化する（図５Ｅ）。
【００４６】
本実施の形態によれば、電子機器本体８２の待機状態時に通信モジュールＣＰＵ８０を間欠駆動するため、オン／オフのデューティー比に応じて待機状態時の電子機器４０における通信モジュールＣＰＵ８０の平均消費電力を小さくできる。なお、通信モジュールＣＰＵ８０を間欠動作させるためにタイマのようなトリガー手段を駆動させる必要があるが、通信モジュールＣＰＵ８０全体を駆動させる場合よりも平均消費電力は小さくできる。
【００４７】
また、パワーオン用リモートコントローラ信号の送信時間を電子機器４０側の通信モジュールＣＰＵ８０の間欠動作モードにおけるオフ時間よりも長く設定するため、電子機器４０の通信モジュールＣＰＵ８０を間欠駆動させた場合でも、確実にパワーオン用リモートコントローラ信号を受信させることができる。
【００４８】
さらに、リモートコントローラ１０では、電子機器４０からのＡＣＫコードを受信したときにｔ３時間以内であってもパワーオン用リモートコントローラ信号の送信（生成）を停止するため、送信の無駄を省くことができ、リモートコントローラ１０の消費電力を抑えることができる。
【００４９】
なお、本発明の技術範囲は、上述した実施形態に限定されるものではなく、本発明の趣旨を逸脱しない範囲において、上述した実施形態に種々の変更を加えたものを含む。
【００５０】
例えば、上述した実施の形態では、テレビジョンやＤＶＤ／ビデオレコーダーなどの電子機器について説明したが、照明装置や空調装置などの電子機器についても本発明を適用することができる。
【図面の簡単な説明】
【００５１】
【図１】本発明の一実施形態に係る遠隔操作システムの構成を示す図である。
【図２】リモートコントローラの構成を示すブロック図である。
【図３】電子機器の構成を示すブロック図である。
【図４】遠隔操作システムの動作を示すフローチャートである。
【図５】遠隔操作システムの動作を示すタイミングチャートである。
【符号の説明】
【００５２】
１０…リモートコントローラ、  １４…リモコンＣＰＵ、  １６…ＲＯＭ、  １８…ＲＡＭ、  ２０…操作部、  ２０ａ…電源キー、  ２０ｂ…操作キー、  ２６…ＲＦアンテナ、  ２８…送受信部、  ３０…通信モジュール部、  ４０…電子機器、  ４２…本体ＣＰＵ、  ４４…ＲＯＭ、  ４６…ＲＡＭ、  ５２…ＲＦアンテナ、  ５４…送受信部、  ７４…バス、  ７６…ＥＥＰＲＯＭ、  ８０…通信モジュールＣＰＵ、  ８２…電子機器本体、  ９０…通信モジュール部、  １００…遠隔操作システム
【図１】
2008263309.tif 000003
【図２】
2008263309.tif 000004
【図３】
2008263309.tif 000005
【図４】
2008263309.tif 000006
【図５】
2008263309.tif 000007
【手続補正書】
【提出日】平成20年4月14日(2008.4.14)
【手続補正１】
【補正対象書類名】特許請求の範囲
【補正対象項目名】請求項７
【補正方法】変更
【補正の内容】
【請求項７】
リモートコントローラから電波方式で送信されるリモートコントローラ信号に基づいて電子機器が遠隔操作される遠隔操作システムであって、
前記電子機器は、
前記リモートコントローラから送信される前記リモートコントローラ信号を受信する通信モジュール部と、
前記通信モジュール部により受信された前記リモートコントローラ信号に基づく所定の処理を実行する電子機器本体とを備え、
前記リモートコントローラは、
前記電子機器本体を前記待機状態から通常状態に移行させるための切り替えキーを有する操作部と、
前記切り替えキーの操作に基づいて、前記電子機器本体を前記通常状態に移行させるパワーオン用リモートコントローラ信号を前記電子機器に送信する通信モジュール部とを備え、
前記電子機器の前記通信モジュール部の前記間欠動作モードにおけるオフ時間は、前記リモートコントローラから送信されるパワーオン用リモートコントローラ信号の送信時間よりも短く設定され、
前記電子機器の前記通信モジュール部は、
前記リモートコントローラから送信されるパワーオン用リモートコントローラ信号に基づいて、前記間欠動作モードから通常動作モードに移行する
ことを特徴とする遠隔操作システム。
【手続補正２】
【補正対象書類名】明細書
【補正対象項目名】００３８
【補正方法】変更
【補正の内容】
【００３８】
ステップＳ４０でリモートコントローラ１０は、電源キー２０ａが押下されると、パワーオン用リモートコントローラ信号を電子機器４０に送信する。パワーオン用リモートコントローラ信号はｔ３時間の間、連続的に送信される。リモートコントローラ信号が送信されるｔ３時間は、通信モジュールＣＰＵ８０のオフｔ２時間よりも長くなるように設定される。また、リモートコントローラ信号は複数のフレームで構成されており、本例では３４個のフレームが等間隔で送信されるように構成される。なお、電源キー２０ａ以外の通常の操作キー２０ｂが押下されたときには、例えばｔ４時間の間で３個のフレームが連続的に送信される（図５Ｂ）。このように、切り替えキーとして機能する電源キー２０ａとその他の操作キー２０ｂとは、押下される時間が同じであっても、送信時間および送信されるフレーム数が異なっている（図５Ａ，図５Ｂ）。
【手続補正３】
【補正対象書類名】図面
【補正対象項目名】図３
【補正方法】変更
【補正の内容】
【図３】
2008263309.tif 000008